(57)【要約】【課題】中継器を使った不正行為により車両の動作が可能となるのを防止することが可能なスマートシステムを提供すること。【解決手段】車両２とスマートキー３との間でキー認証が成立し、且つ、ペアリングが行われている車両２とスマートフォン４との間で接続があり端末認証が成立した場合にドアのアンロック動作を可能とする二重系のセキュリティ制御が行われる。つまり、中継器を使った不正行為によりキー認証が成立させられても、端末認証が成立しない限りはドアのアンロック動作が可能とはならない。仮にスマートフォン４を忘れた場合は、スマートキー３のアンロックボタン３１を操作してリモートキー機能にてドアのアンロック動作を可能とする。【選択図】図１
2015169008.tif 000002
【特許請求の範囲】
【請求項１】
車両からリクエスト信号を送出し、電子キーは、そのリクエスト信号を受信すると、電子キーに固有の識別情報を含むスマート信号を返信し、識別情報が照合一致してキー認証が成立した場合に車両の動作が可能となるスマートシステムにおいて、
車両と電子キーとの間でキー認証が成立し、且つ、ペアリングが行われている車両と携帯端末との間で接続があり端末認証が成立した場合に車両の動作を可能とする二重系のセキュリティ制御を行う制御手段を備える
ことを特徴とするスマートシステム。
【請求項２】
前記電子キーは、車両の動作を指示する操作手段を備え、その操作手段が操作されたとき、車両の動作を指示する操作コードと前記識別情報とを含むリモートキー信号を送信し、
前記制御手段は、識別情報が照合一致し、且つ、その識別情報と共に操作コードを取得した場合にその操作コードによる指示を受けて車両の動作を可能とするバックアップ制御を行う
請求項１に記載のスマートシステム。
【請求項３】
前記制御手段は、端末認証だけが不成立でスマートシステムのキー認証が成立したとき、前記電子キーが備える前記操作手段での操作を促すために車載機器による通知を行う
請求項２に記載のスマートシステム。
【請求項４】
前記制御手段は、スマートシステムのキー認証が成立しないとき、端末認証の成否にかかわらず、車両の一切の動作を可能としない
請求項１〜３のいずれか一項に記載のスマートシステム。
【請求項５】
前記スマート信号の送信出力を前記リモートキー信号の送信出力よりも低く設定する出力調整手段及び前記スマート信号の受信感度を前記リモートキー信号の受信感度よりも低く設定する感度調整手段の少なくとも一方を備える
請求項２〜４のいずれか一項に記載のスマートシステム。
【請求項６】
前記携帯端末は振動を検出する振動検出手段を備え、
前記制御手段は、前記振動検出手段によって前記携帯端末に対する振動が検出されたことを条件に車両の動作を可能とする
請求項１〜５のいずれか一項に記載のスマートシステム。
【請求項７】
スマート信号に含まれた識別情報が照合一致してキー認証が成立し、且つ、端末認証が成立した場合に可能となる車両の動作には、スマートシステムによるドアのアンロック動作が含まれ、
リモートキー信号に含まれた識別情報が照合一致し、且つ、その識別情報と共に操作コードを取得した場合にその操作コードによる指示を受けて可能となる車両の動作には、リモートキーによるドアのアンロック動作が含まれ、
前記制御手段は、ドアのロック後は一定時間内のスマートシステムによるドアのアンロック動作を禁止する第１のセキュリティ制御、及び、ドアのロック後は車両と携帯端末との接続が一旦解消されるまでスマートシステムによるドアのアンロック動作を禁止する第２のセキュリティ制御、及び、ドアのロック後は車両と携帯端末との接続が一旦解消されるまでスマートシステムによるドアのアンロック動作とリモートキーによるドアのアンロック動作の双方を禁止する第３のセキュリティ制御、の少なくとも１つを行う
請求項２〜６のいずれか一項に記載のスマートシステム。
【請求項８】
前記携帯端末は、ドアのロック時の車両の位置を示唆する情報又はドアのロック時の携帯端末の位置を示唆する情報を取得するロック位置取得手段と、携帯端末の現在の位置を示唆する情報を取得する現在位置取得手段と、前記ロック位置取得手段によって取得された情報と前記現在位置取得手段によって取得された情報とから携帯端末の現在の位置に対する車両の駐車位置を特定する車両位置特定手段とを備える
請求項１〜７のいずれか一項に記載のスマートシステム。
【請求項９】
前記制御手段は、電子キーの妥当性を判定するキー照合手段と、携帯端末の妥当性を判定する端末照合手段とを備え、
前記キー照合手段による判定を経てキー認証が成立し、且つ、前記端末照合手段による判定を経て端末認証が成立したことを条件にドアロック機構に制御信号を出力する信号出力手段を備える
請求項１〜８のいずれか一項に記載のスマートシステム。
【請求項１０】
前記制御手段は、電子キーの妥当性を判定するキー照合手段と、携帯端末の妥当性を判定する端末照合手段とを備え、
前記端末照合手段は、前記電子キーによるリモートキー信号を解析可能な暗号復号機能部を備え、その暗号復号機能部は、識別情報が照合一致し、且つ、その識別情報と共に操作コードを取得した場合にその操作コードによる指示を受けてドアロック機構に制御信号を出力する
請求項２〜９のいずれか一項に記載のスマートシステム。
【請求項１１】
前記制御手段は、電子キーの妥当性を判定するキー照合手段と、携帯端末の妥当性を判定する端末照合手段とを備え、
前記キー照合手段及び前記端末照合手段の一方はドアロック機構に制御信号を出力し、他方はドアロック機構の電源をＯＮ／ＯＦＦする又はドアロック機構の機能をＯＮ／ＯＦＦする
請求項１〜８のいずれか一項に記載のスマートシステム。
【請求項１２】
車両と携帯端末は互いが近接するとき自動で接続を行い、その携帯端末は複数台の車両との間でそれぞれペアリングが可能であり、
前記携帯端末との間で接続の行われている車両は、携帯端末に近接していることを示唆する情報を当該接続に関わる通信を用いて携帯端末に通知する車両接近通知機能部を備える
請求項１〜１１のいずれか一項に記載のスマートシステム。
【発明の詳細な説明】
【技術分野】
【０００１】
本発明は、キー認証が成立した場合に車両の動作が可能となるスマートシステムに関する。
【背景技術】
【０００２】
特許文献１には、車両からＬＦ（Low Frequency ）帯の電波を送出し、電子キーは、その電波を受信すると、電子キーに固有のＩＤ（identification）を含むＵＨＦ（Ultra High Frequency）帯の電波を返信し、ＩＤが照合一致してキー認証が成立した場合に車両の動作が可能となるスマートシステムが開示されている。スマートシステムの適用された車両では、ＩＤを用いてキーの照合が電気的に行われるため、キー溝の形状を機械的に照合する構成に比べて利便性が向上する。
【先行技術文献】
【特許文献】
【０００３】
【特許文献１】特開２００７−１７０１６２号公報（段落［００２５］）
【発明の概要】
【発明が解決しようとする課題】
【０００４】
中継器を使った不正行為により車両の動作が可能となる恐れがあった。
本発明は、このような問題点に着目してなされたものであって、その目的は、中継器を使った不正行為により車両の動作が可能となるのを防止することが可能なスマートシステムを提供することにある。
【課題を解決するための手段】
【０００５】
上記課題を解決するスマートシステムは、車両からリクエスト信号を送出し、電子キーは、そのリクエスト信号を受信すると、電子キーに固有の識別情報を含むスマート信号を返信し、識別情報が照合一致してキー認証が成立した場合に車両の動作が可能となるスマートシステムにおいて、車両と電子キーとの間でキー認証が成立し、且つ、ペアリングが行われている車両と携帯端末との間で接続があり端末認証が成立した場合に車両の動作を可能とする二重系のセキュリティ制御を行う制御手段を備えることをその要旨としている。
【０００６】
この構成によれば、キー認証と端末認証の双方が成立した場合に車両の動作が可能となる。つまり、中継器を使った不正行為によりキー認証が成立させられても、端末認証が成立しない限りは車両の動作が可能とはならない。したがって、中継器を使った不正行為により車両の動作が可能となるのを防止することができる。
【０００７】
上記スマートシステムについて、前記電子キーは、車両の動作を指示する操作手段を備え、その操作手段が操作されたとき、車両の動作を指示する操作コードと前記識別情報とを含むリモートキー信号を送信し、前記制御手段は、識別情報が照合一致し、且つ、その識別情報と共に操作コードを取得した場合にその操作コードによる指示を受けて車両の動作を可能とするバックアップ制御を行うこととしてもよい。
【０００８】
この構成によれば、二重系のセキュリティを担保するため、車両のオーナは通常、電子キーと携帯端末の双方を所持しなくてはならないが、仮に携帯端末を忘れた場合、操作フリーでは車両の動作が可能とはならない。この場合は、電子キーの操作手段を操作してリモートキー機能にて車両の動作を可能とすることで、携帯端末の電池切れ、故障、通信異常に対応することができる。
【０００９】
上記スマートシステムについて、前記制御手段は、端末認証だけが不成立でスマートシステムのキー認証が成立したとき、前記電子キーが備える前記操作手段での操作を促すために車載機器による通知を行うこととしてもよい。
【００１０】
この構成によれば、車載機器による通知を行うことで、携帯端末の認証だけが不成立であることを車両のオーナに知らせることができる。
上記スマートシステムについて、前記制御手段は、スマートシステムのキー認証が成立しないとき、端末認証の成否にかかわらず、車両の一切の動作を可能としないこととしてもよい。
【００１１】
この構成によれば、携帯端末の認証はあくまで補助鍵的な扱いとすることで、二重系のセキュリティ制御による高いセキュリティ性が得られる。
上記スマートシステムについて、前記スマート信号の送信出力を前記リモートキー信号の送信出力よりも低く設定する出力調整手段及び前記スマート信号の受信感度を前記リモートキー信号の受信感度よりも低く設定する感度調整手段の少なくとも一方を備えることとしてもよい。
【００１２】
この構成によれば、スマート信号の送信出力或いは受信感度が低く設定されることに伴い、キー認証について車両と電子キーとの通信エリアが意図的に狭められる。これにより、中継器を使った不正行為がより困難となり、セキュリティ性を向上できる。
【００１３】
上記スマートシステムについて、前記携帯端末は振動を検出する振動検出手段を備え、前記制御手段は、前記振動検出手段によって前記携帯端末に対する振動が検出されたことを条件に車両の動作を可能とすることとしてもよい。
【００１４】
この構成によれば、車両のオーナが電子キーと携帯端末の双方を所持して車両に接近する場合、歩行等の振動が検出され、車両の動作が可能となる。一方、中継器を使った不正行為によりキー認証が成立させられ、尚且つ、静止状態にある携帯端末の認証が成立したにせよ、携帯端末に対する振動が検出されない限りは車両の動作が可能とはならない。したがって、携帯端末の振動を要件に加えることで、セキュリティ性を向上できる。
【００１５】
上記スマートシステムについて、スマート信号に含まれた識別情報が照合一致してキー認証が成立し、且つ、端末認証が成立した場合に可能となる車両の動作には、スマートシステムによるドアのアンロック動作が含まれ、リモートキー信号に含まれた識別情報が照合一致し、且つ、その識別情報と共に操作コードを取得した場合にその操作コードによる指示を受けて可能となる車両の動作には、リモートキーによるドアのアンロック動作が含まれ、前記制御手段は、ドアのロック後は一定時間内のスマートシステムによるドアのアンロック動作を禁止する第１のセキュリティ制御、及び、ドアのロック後は車両と携帯端末との接続が一旦解消されるまでスマートシステムによるドアのアンロック動作を禁止する第２のセキュリティ制御、及び、ドアのロック後は車両と携帯端末との接続が一旦解消されるまでスマートシステムによるドアのアンロック動作とリモートキーによるドアのアンロック動作の双方を禁止する第３のセキュリティ制御、の少なくとも１つを行うこととしてもよい。
【００１６】
この構成によれば、車両のオーナが降車した直後にはキー認証と端末認証の双方が成立する。このとき、１つ若しくは複数のセキュリティ制御を行うことで、ドアのアンロック動作の少なくとも一部が禁止される。したがって、第三者による車内への侵入を阻止できる。
【００１７】
上記スマートシステムについて、前記携帯端末は、ドアのロック時の車両の位置を示唆する情報又はドアのロック時の携帯端末の位置を示唆する情報を取得するロック位置取得手段と、携帯端末の現在の位置を示唆する情報を取得する現在位置取得手段と、前記ロック位置取得手段によって取得された情報と前記現在位置取得手段によって取得された情報とから携帯端末の現在の位置に対する車両の駐車位置を特定する車両位置特定手段とを備えることとしてもよい。
【００１８】
この構成によれば、所謂カーファインダー機能を付加することで、車両の駐車位置を探索できる。
上記スマートシステムについて、前記制御手段は、電子キーの妥当性を判定するキー照合手段と、携帯端末の妥当性を判定する端末照合手段とを備え、前記キー照合手段による判定を経てキー認証が成立し、且つ、前記端末照合手段による判定を経て端末認証が成立したことを条件にドアロック機構に制御信号を出力する信号出力手段を備えることとしてもよい。
【００１９】
この構成によれば、例えば、端末照合手段からの励磁信号を受けて励磁されるコイルと、キー照合手段からドアロック機構に至る信号線を開閉するスイッチとを含むリレーを信号出力手段として採用するとき、キー認証と端末認証の双方が成立した場合にドアロック機構を通じてドアのアンロックやロックを可能にできる。
【００２０】
上記スマートシステムについて、前記制御手段は、電子キーの妥当性を判定するキー照合手段と、携帯端末の妥当性を判定する端末照合手段とを備え、前記端末照合手段は、前記電子キーによるリモートキー信号を解析可能な暗号復号機能部を備え、その暗号復号機能部は、識別情報が照合一致し、且つ、その識別情報と共に操作コードを取得した場合にその操作コードによる指示を受けてドアロック機構に制御信号を出力することとしてもよい。
【００２１】
この構成によれば、端末照合手段にリモートキー信号の解析機能を持たせることで、携帯端末の電池切れ、故障、通信異常に対応することができる。
上記スマートシステムについて、前記制御手段は、電子キーの妥当性を判定するキー照合手段と、携帯端末の妥当性を判定する端末照合手段とを備え、前記キー照合手段及び前記端末照合手段の一方はドアロック機構に制御信号を出力し、他方はドアロック機構の電源をＯＮ／ＯＦＦする又はドアロック機構の機能をＯＮ／ＯＦＦすることとしてもよい。
【００２２】
この構成によれば、キー認証と端末認証の双方が成立した場合にドアロック機構を通じてドアのアンロックやロックを可能にできる。
上記スマートシステムについて、車両と携帯端末は互いが近接するとき自動で接続を行い、その携帯端末は複数台の車両との間でそれぞれペアリングが可能であり、前記携帯端末との間で接続の行われている車両は、携帯端末に近接していることを示唆する情報を当該接続に関わる通信を用いて携帯端末に通知する車両接近通知機能部を備えることとしてもよい。
【００２３】
この構成によれば、所謂ハイブリッド車或いは電気自動車等がエンジン音を発することなく接近することを携帯端末の所持者に知らせることができる。
【発明の効果】
【００２４】
本発明によれば、中継器を使った不正行為により車両の動作が可能となるのを防止することができる。
【図面の簡単な説明】
【００２５】
【図１】スマートシステムの構成を示すブロック図。
【図２】スマートフォンに対する振動が検出されたことを条件に車両の動作が可能となることを示す図。
【図３】車両の駐車位置を探索するカーファインダー機能を示す図。
【図４】リレー出力を受けてドアロック機構が機能する態様を示す回路図。
【図５】スマートフォン用照合ＥＣＵにリモートキー信号の解析機能を持たせた態様を示す回路図。
【図６】スマートフォン用照合ＥＣＵがドアロック機構の電源をＯＮ／ＯＦＦする態様を示す回路図。
【図７】スマートフォン用照合ＥＣＵがドアロック機構の機能をＯＮ／ＯＦＦする態様を示す回路図。
【発明を実施するための形態】
【００２６】
以下、スマートシステムの一実施の形態について説明する。
図１に示すように、スマートシステム１は、車両２とスマートキー（登録商標）３との間でキー認証が成立し、且つ、車両２とスマートフォン（多機能携帯電話）４との間で端末認証が成立した場合にドアのロック／アンロックが可能となる。スマートキー３は車両２のオーナが所持する電子キーに相当する。スマートフォン４は車両２のオーナがスマートキー３と共に所持する携帯端末に相当する。
【００２７】
車両２とスマートキー３とのキー認証に際し、車両２のスマート照合ＥＣＵ（electronic control unit ）２１は、ＬＦ送信機２２から車両２の周辺にリクエスト信号を送信する。リクエスト信号はＬＦ帯の電波である。スマートキー３は、リクエスト信号を受けてスマートキー３に固有のＩＤを含むスマート信号を返信する。スマート信号はＵＨＦ帯の電波である。上記ＩＤはスマートキー３に固有の識別情報に相当する。車両２のＵＨＦ受信機２３によってスマート信号が受信されると、スマート照合ＥＣＵ２１は、スマート信号に含まれたＩＤを基準ＩＤと照合する。ＩＤが照合一致したことはキー認証が成立したことと同義である。スマート照合ＥＣＵ２１は、スマートキー３の妥当性を判定するキー照合手段に相当する。
【００２８】
一方、車両２とスマートフォン４との端末認証に際し、本例ではブルートゥース（登録商標）通信が用いられる。ブルートゥース通信では一般に、車両側のブルートゥース通信機器（図中ではＢＴと略称）２４と端末側のブルートゥース通信機器（図中ではＢＴと略称）４１の一方を発見可能状態に設定し、他方から発見操作を行う。双方の機器が近接すると、発見可能状態にある周囲の機器の一覧が提示され、その中から所望の接続相手を指定する。双方の機器に同一の認証鍵を入力し、認証鍵の交換が終わればペアリングが完了する。一度ペアリングを行った機器間では、次からは自動的或いは半自動的に接続が確立され、認証鍵の入力が不要となる。ペアリングが完了したことは端末認証が成立したことと同義である。車両２のスマートフォン用照合ＥＣＵ２５は、スマートフォン４の妥当性を判定する端末照合手段に相当する。スマートフォン用照合ＥＣＵ２５は、端末認証の結果をスマート照合ＥＣＵ２１へ提供する。
【００２９】
スマート照合ＥＣＵ２１は、車両２とスマートキー３との間でキー認証が成立し、且つ、車両２とスマートフォン４との間で端末認証が成立した場合に操作フリーでのドアのロック／アンロックを可能とする二重系のセキュリティ制御を行う。かかる動作はスマートシステムによるドアのロック／アンロック動作である。スマート照合ＥＣＵ２１とスマートフォン用照合ＥＣＵ２５との協働により制御手段が構成される。
【００３０】
ところで、スマートキー３は、ドアのアンロックを指示するアンロックボタン３１と、ドアのロックを指示するロックボタン３２とを備えている。アンロックボタン３１やロックボタン３２は操作手段に相当する。スマートキー３は、アンロックボタン３１（ロックボタン３２）が操作されたとき、ドアのアンロック（ロック）を指示する操作コードと上記ＩＤとを含むリモートキー信号を送信する。リモートキー信号はＵＨＦ帯の電波である。車両２のＵＨＦ受信機２３によってリモートキー信号が受信されると、スマート照合ＥＣＵ２１は、リモートキー信号に含まれたＩＤを基準ＩＤと照合する。スマート照合ＥＣＵ２１は、ＩＤが照合一致し、且つ、そのＩＤと共に操作コードを取得した場合にその操作コードによる指示を受けてドアのロック／アンロックを可能とするバックアップ制御を行う。かかる動作はリモートキーによるドアのロック／アンロック動作である。
【００３１】
次に、スマートシステム１の作用について説明する。
車両２のオーナがスマートキー３とスマートフォン４の双方を同時に所持して車両２に接近すると、車両２とスマートキー３との間でキー認証が成立し、且つ、車両２とスマートフォン４との間で端末認証が成立する。この場合、スマートシステムによるドアのアンロック動作が行われる。
【００３２】
一方、車両２とスマートキー３との間でキー認証が成立したものの、車両２とスマートフォン４との間で端末認証が不成立となった場合、スマート照合ＥＣＵ２１による制御のもと、ハザードの点灯やホーンの吹鳴等の通知が行われる。ハザードやホーンは車載機器に相当する。かかる通知を受けて車両２のオーナがスマートキー３のアンロックボタン３１を操作すると、リモートキーによるドアのアンロック動作が行われる。
【００３３】
他方、車両２とスマートキー３との間でキー認証が成立しないとき、車両２とスマートフォン４との端末認証の成否にかかわらず、ドアのアンロック動作を含む車両２の一切の動作が禁止される。
【００３４】
以上説明したように、本実施の形態によれば、以下の効果を奏することができる。
（１）キー認証と端末認証の双方が成立した場合にスマートシステムによるドアのアンロック動作が可能となる。つまり、中継器を使った不正行為によりキー認証が成立させられても、端末認証が成立しない限りはドアのアンロック動作が可能とはならない。したがって、中継器を使った不正行為によりドアのアンロック動作が可能となるのを防止することができる。
【００３５】
（２）二重系のセキュリティを担保するため、車両２のオーナは通常、スマートキー３とスマートフォン４の双方を所持しなくてはならないが、仮にスマートフォン４を忘れた場合、操作フリーではドアのアンロック動作が可能とはならない。この場合は、スマートキー３のアンロックボタン３１を操作してリモートキー機能にてドアのアンロック動作を可能とすることで、スマートフォン４の電池切れ、故障、通信異常に対応することができる。
【００３６】
（３）ハザードやホーンによる通知を行うことで、スマートフォン４の認証だけが不成立であることを車両２のオーナに知らせることができる。つまり、リモートキー操作を促すことができる。
【００３７】
（４）スマートシステムのキー認証が成立しないとき、端末認証の成否にかかわらず、車両２の一切の動作が禁止される。この構成によれば、スマートフォン４の認証はあくまで補助鍵的な扱いとすることで、二重系のセキュリティ制御による高いセキュリティ性が得られる。
【００３８】
尚、上記実施の形態は、次のように変更して具体化することも可能である。
・スマート信号の送信出力をリモートキー信号の送信出力よりも低く設定してもよい。この場合、スマートキー３のＬＦ送信部が出力調整手段に相当する。或いは、スマート信号の受信感度をリモートキー信号の受信感度よりも低く設定してもよい。この場合、車両２のＵＨＦ受信機２３が感度調整手段に相当する。或いは、双方を同時に実施してもよい。この構成によれば、スマート信号の送信出力或いは受信感度が低く設定されることに伴い、キー認証について車両２とスマートキー３との通信エリアが意図的に狭められる。これにより、中継器を使った不正行為がより困難となり、セキュリティ性を向上できる。
【００３９】
・図２に示すように、上記別例の構成に代えて又は加えて、スマートフォン４に対する振動を検出し、スマートフォン４に対する振動が検出されたことを条件にドアのアンロック動作を可能としてもよい。この場合、スマートフォン４の振動センサが振動検出手段に相当する。スマートフォン４のブルートゥース通信機器４１はブルートゥース通信を通じて振動検出信号を送信し、その信号が車両２のブルートゥース通信機器２４によって受信されると、スマートフォン用照合ＥＣＵ２５は、端末認証の結果と共に振動検出の結果をスマート照合ＥＣＵ２１へ提供する。
【００４０】
この構成によれば、車両２のオーナがスマートキー３とスマートフォン４の双方を所持して車両２に接近する場合、歩行等の振動が検出され、ドアのアンロック動作が可能となる。一方、中継器を使った不正行為によりキー認証が成立させられ、尚且つ、静止状態にあるスマートフォン４の認証が成立したにせよ、スマートフォン４に対する振動が検出されない限りはドアのアンロック動作が可能とはならない。したがって、スマートフォン４の振動を要件に加えることで、セキュリティ性を向上できる。
【００４１】
・ドアのロック後は一定時間内のスマートシステムによるドアのアンロック動作を禁止するセキュリティ制御を第１のセキュリティ制御と規定する。一方、ドアのロック後は車両２とスマートフォン４との接続が一旦解消されるまでスマートシステムによるドアのアンロック動作を禁止するセキュリティ制御を第２のセキュリティ制御と規定する。他方、ドアのロック後は車両２とスマートフォン４との接続が一旦解消されるまでスマートシステムによるドアのアンロック動作とリモートキーによるドアのアンロック動作の双方を禁止するセキュリティ制御を第３のセキュリティ制御と規定する。これら３つのセキュリティ制御の少なくとも１つを行ってもよい。
【００４２】
この構成によれば、車両２のオーナが降車した直後にはキー認証と端末認証の双方が成立する。このとき、１つ若しくは複数のセキュリティ制御を行うことで、ドアのアンロック動作の少なくとも一部が禁止される。したがって、第三者による車内への侵入を阻止できる。尚、第１のセキュリティ制御のみを行う場合、ドアのロック後の一定時間内にリモートキー操作を行うことでアンロックが許容されるため、忘れ物等ですぐにアンロックしたい場合の対策となる。そして、この間、リクエスト信号を中継することによるアンロックが禁止されることに伴い、上記の通り、第三者による車内への侵入が阻止され、セキュリティ性が確保される。
【００４３】
・ドアのロック時にもドアのアンロック時と同様の二重系のセキュリティ制御を行ってもよい。ただし、アンロック時がセキュアであれば十分であるため、ロック時はスマートフォン４の認証無しでスマートキー３の認証のみを経てロックする仕様としても差し支えない。
【００４４】
・図３に示すように、ドアのロック時にスマートフォン４も認証する場合、スマートフォン４の位置特定機能を活用して車両２の駐車位置を探索してもよい。この場合、スマートフォン４はロック時の車両２の位置を示唆する情報又はロック時のスマートフォン４の位置を示唆する情報を取得するロック位置取得手段を備える。前者の場合、ドアのロック時には、そのときの車両２の位置情報が車両２のＧＰＳ（global positioning system ）受信機で取得され、その情報がブルートゥース通信を通じてスマートフォン４で取得される。一方、後者の場合、ドアのロック時には、車両２からのロック完了信号がブルートゥース通信を通じてスマートフォン４で取得され、そのときのスマートフォン４の位置情報がスマートフォン４のＧＰＳ受信機で取得される。いずれにせよ車両２のロック位置（駐車位置）がスマートフォン４で取得される。
【００４５】
また、スマートフォン４は、スマートフォン４の現在の位置を示唆する情報を取得する現在位置取得手段と、上記ロック位置取得手段によって取得された情報と上記現在位置取得手段によって取得された情報とからスマートフォン４の現在の位置に対する車両２の駐車位置を特定する車両位置特定手段とを備える。この構成によれば、所謂カーファインダー機能を付加することで、車両２の駐車位置を探索できる。
【００４６】
・図４に示すように、スマート照合ＥＣＵ２１による判定を経てキー認証が成立し、且つ、スマートフォン用照合ＥＣＵ２５による判定を経て端末認証が成立したことを条件にドアロック機構２６に制御信号を出力するリレー２７を備える構成を採用してもよい。この場合、リレーは信号出力手段に相当する。例えば、スマートフォン用照合ＥＣＵ２５からの励磁信号を受けて励磁されるコイルと、スマート照合ＥＣＵ２１からドアロック機構２６に至る信号線を開閉するスイッチとを含むリレー２７を信号出力手段として採用する。
【００４７】
この構成によれば、キー認証と端末認証の双方が成立した場合にドアロック機構２６を通じてドアのアンロックやロックを可能にできる。また、スマート照合ＥＣＵ２１とスマートフォン用照合ＥＣＵ２５との間で通信する必要がないため、元々あるスマート照合ＥＣＵ２１をそのまま利用することが可能となる。尚、スマートフォン用照合ＥＣＵ２５でコイルを励磁する場合、端末認証がキー認証よりも先に終了していればスマート照合ＥＣＵ２１からのシリアル通信を好適に行えることになるが、ブルートゥース通信は通信距離が長く、通信速度も速いため、先に端末認証を終えることは可能である。
【００４８】
・図５に示すように、スマートフォン用照合ＥＣＵ２５がスマートキー３によるリモートキー信号を解析可能な暗号復号機能部２８を備え、その暗号復号機能部２８は、ＩＤが照合一致し、且つ、そのＩＤと共に操作コードを取得した場合にその操作コードによる指示を受けてドアロック機構２６に制御信号を出力してもよい。この構成によれば、スマートフォン用照合ＥＣＵ２５にリモートキー信号の解析機能を持たせることで、スマートフォン４の電池切れ、故障、通信異常に対応することができる。
【００４９】
・図６に示すように、スマート照合ＥＣＵ２１及びスマートフォン用照合ＥＣＵ２５の一方がドアロック機構２６に制御信号を出力し、他方はドアロック機構２６の電源をＯＮ／ＯＦＦしてもよい。スマート照合ＥＣＵ２１は、キー認証が成立するとドアロック機構２６にアンロック指令信号を出力し、スマートフォン用照合ＥＣＵ２５は、端末認証が成立するとドアロック機構２６に至る電源線をスイッチ閉とする。これにより、キー認証と端末認証の双方が成立した場合にドアロック機構２６を通じてドアのアンロックやロックを可能にできる。
【００５０】
・図７に示すように、スマート照合ＥＣＵ２１及びスマートフォン用照合ＥＣＵ２５の一方がドアロック機構２６に制御信号を出力し、他方はドアロック機構２６の機能をＯＮ／ＯＦＦしてもよい。この構成によれば、キー認証と端末認証の双方が成立した場合にドアロック機構２６を通じてドアのアンロックやロックを可能にできる。
【００５１】
・車両２に搭載されたブルートゥース若しくはワイファイ等の汎用通信機器が他の車両にも搭載されることを前提に、各車両とスマートフォン４は互いが近接するとき自動で接続を行い、そのスマートフォン４は複数台の車両との間でそれぞれペアリングが可能となる。そして、スマートフォン４との間で接続の行われている車両が、スマートフォン４に近接していることを示唆する情報を当該接続に関わる通信を用いてスマートフォン４に通知する車両接近通知機能部を備えることとすれば、次のような付加的機能が備わる。つまり、所謂ハイブリッド車或いは電気自動車等がエンジン音を発することなく接近することをスマートフォン４の所持者に知らせることができる。車両２のブルートゥース通信機器２４は車両接近通知機能部に相当する。
【００５２】
・エンジンスタート時にもドアのアンロック時と同様の二重系のセキュリティ制御を行ってもよい。エンジンスタートについてはキー認証のみを要件としても、端末認証を付加要件としても、どちらでもよいが、後者の方がセキュリティ性を鑑みたとき望ましい。
【符号の説明】
【００５３】
１…スマートシステム、２…車両、３…スマートキー（電子キー）、４…スマートフォン（携帯端末）、２１…スマート照合ＥＣＵ（制御手段、キー照合手段）、２２…ＬＦ送信機、２３…ＵＨＦ受信機、２４…ブルートゥース通信機器（車両接近通知機能部）、２５…スマートフォン用照合ＥＣＵ（制御手段、端末照合手段）、２６…ドアロック機構、２７…リレー（信号出力手段）、２８…暗号復号機能部、３１…アンロックボタン（操作手段）、３２…ロックボタン（操作手段）、４１…ブルートゥース通信機器。
【図１】
2015169008.tif 000003
【図２】
2015169008.tif 000004
【図３】
2015169008.tif 000005
【図４】
2015169008.tif 000006
【図５】
2015169008.tif 000007
【図６】
2015169008.tif 000008
【図７】
2015169008.tif 000009